(57)【要約】【課題】ユーザが勝手に中継装置を移動させても、中継装置の移動の有無を判定することができる移動判定システムを提供する。【解決手段】移動判定システム１００は、中継装置２０が無線接続しているドナーセル３０−１と無線接続をすることが可能な隣接セル３０−２、３０−３、３０−４とを特定する許容セル情報を所定のタイミング毎に取得して蓄積する取得部４０と、異なるタイミングで取得された複数の許容セル情報を互いに比較して中継装置２０の移動の有無を判定する判定部５０と、を備える。【選択図】図１
2019125992.tif 000002
【特許請求の範囲】
【請求項１】
移動体と無線接続する中継装置の移動の有無を判定する移動判定システムであって、
中継装置が無線接続しているドナーセルと無線接続をすることが可能な隣接セルとを特定する許容セル情報を所定のタイミング毎に取得して蓄積する取得部と、
異なるタイミングで取得された複数の前記許容セル情報を互いに比較して前記中継装置の移動の有無を判定する判定部と、
を備える移動判定システム。
【請求項２】
前記判定部は、第１のタイミングで取得した前記許容セル情報において隣接セルとして記録されているセルが前記第１のタイミングより遅い第２のタイミングで取得した前記許容セル情報においてドナーセルとして記録されていた場合には前記第１のタイミングと前記第２のタイミングとの間にドナーセルが変更されたものとして、前記中継装置が移動していないと判定する、請求項１に記載の移動判定システム。
【請求項３】
前記判定部は、第１のタイミングで取得した前記許容セル情報において隣接セルとして記録されているセルが前記第１のタイミングより遅い第２のタイミングで取得した前記許容セル情報においてドナーセルとして記録されていた場合には前記第１のタイミングと前記第２のタイミングとの間にドナーセルが近隣セルに変更されたものとして、前記中継装置が移動していないと判定する、請求項１または２に記載の移動判定システム。
【請求項４】
前記判定部は、第１のタイミングで取得した前記許容セル情報においてドナーセルとして記録されているセルが前記第１のタイミングより遅い第２のタイミングで取得した前記許容セル情報において隣接セルとして記録されていた場合には前記第１のタイミングと前記第２のタイミングとの間にセルが新設されたものとして、前記中継装置が移動していないと判定する、請求項１乃至３のいずれか一項に記載の移動判定システム。
【請求項５】
前記判定部は、第１のタイミングで取得した前記許容セル情報において隣接セルとして記録されているセルと前記第１のタイミングより遅い第２のタイミングで取得した前記許容セル情報において隣接セルとして記録されているセルとの一致率に基づいて、前記中継装置の移動の有無を判定する、請求項１乃至４のいずれか一項に記載の移動判定システム。
【請求項６】
所定の中継装置に対応している前記許容セル情報を任意にリセット可能に構成されている、
請求項１乃至５のいずれか一項に記載の移動判定システム。
【請求項７】
所定の中継装置について移動の有無の判定を任意に禁止可能に構成されている、
請求項１乃至６のいずれか一項に記載の移動判定システム。
【請求項８】
前記許容セル情報を任意に変更可能に構成されている、
請求項１乃至７のいずれか一項に記載の移動判定システム。
【請求項９】
移動していると判定された前記中継装置に対して移動機への接続を停止する停波部をさらに備える、請求項１乃至８のいずれか一項に記載の移動判定システム。
【請求項１０】
前記停波部は、所定の中継装置について前記移動機への接続の禁止する、
請求項９に記載の移動判定システム。
【請求項１１】
移動体と無線接続する中継装置の移動の有無を判定する移動判定方法であって、
中継装置が無線接続しているドナーセルと無線接続をすることが可能な隣接セルとを特定する許容セル情報を所定のタイミング毎に取得して蓄積するステップと、
異なるタイミングで取得された複数の前記許容セル情報を互いに比較して前記中継装置の移動の有無を判定するステップと、
を有する移動判定方法。
【発明の詳細な説明】
【技術分野】
【０００１】
本発明は、移動判定システム及び移動判定方法に関する。
【背景技術】
【０００２】
移動体とマクロセル基地局との間に中継装置であるスモールセル基地局を設ける通信サービスが行われていた（例えば、特許文献１参照）。スモールセル基地局の設置により、ビルなどの屋内における通信環境が改善されている。
【先行技術文献】
【特許文献】
【０００３】
【特許文献１】特許第６０２５８９２号公報
【発明の概要】
【発明が解決しようとする課題】
【０００４】
中継装置は、無線通信事業者により設置されるものであるため、ユーザが任意に移動させてはならないものである。しかし、現実にはユーザが勝手に中継装置を移動させて利用することが行われている。中継装置は、移動体から緊急呼があった場合に緊急対応車両が駆けつけることができるように、設置位置が登録されている。もしも中継装置がユーザに勝手に移動されていると、登録された中継装置の設置位置と実際の中継装置の位置とが異なるため、緊急対応車両が緊急呼を発した移動体の場所にたどり着けない可能性がある。
【０００５】
そこで本発明は、ユーザが勝手に中継装置を移動させても、中継装置の移動の有無を判定することができる移動判定システム及び移動判定方法を提供することを目的とする。
【課題を解決するための手段】
【０００６】
本発明の一態様に係る移動判定システムは、移動体と無線接続する中継装置の移動の有無を判定する移動判定システムであって、中継装置が無線接続しているドナーセルと無線接続をすることが可能な隣接セルとを特定する許容セル情報を所定のタイミング毎に取得して蓄積する取得部と、異なるタイミングで取得された複数の許容セル情報を互いに比較して中継装置の移動の有無を判定する判定部と、を備える。
【０００７】
この態様によれば、取得部がドナーセルと隣接セルとを特定する許容セル情報を所定のタイミング毎に取得して蓄積する。判定部は、異なるタイミングで取得された複数の許容セル情報を互いに比較して中継装置の移動の有無を判定する。したがって、ユーザが勝手に中継装置を移動させても、中継装置の移動の有無を検出できる。
【０００８】
判定部は、第１のタイミングで取得した前記許容セル情報において隣接セルとして記録されているセルが第１のタイミングより遅い第２のタイミングで取得した許容セル情報においてドナーセルとして記録されていた場合には第１のタイミングと第２のタイミングとの間にドナーセルが変更されたものとして、中継装置が移動していないと判定するようにしてもよい。また、判定部は、第１のタイミングで取得した前記許容セル情報において隣接セルとして記録されているセルが第１のタイミングより遅い第２のタイミングで取得した許容セル情報においてドナーセルとして記録されていた場合には第１のタイミングと第２のタイミングとの間にドナーセルが隣接セルに変更されたものとして、中継装置が移動していないと判定するようにしてもよい。
【０００９】
判定部は、第１のタイミングで取得した許容セル情報においてドナーセルとして記録されているセルが第１のタイミングより遅い第２のタイミングで取得した許容セル情報において隣接セルとして記録されていた場合には第１のタイミングと第２のタイミングとの間にセルが新設されたものとして、中継装置が移動していないと判定するようにしてもよい。
【００１０】
判定部は、第１のタイミングで取得した許容セル情報において隣接セルとして記録されているセルと第１のタイミングより遅い第２のタイミングで取得した許容セル情報において隣接セルとして記録されているセルとの一致率に基づいて、中継装置の移動の有無を判定するようにしてもよい。
【００１１】
所定の中継装置に対応している前記許容セル情報を任意にリセット可能に構成してもよい。
【００１２】
所定の中継装置について移動の有無の判定を任意に禁止可能に構成してもよい。
【００１３】
許容セル情報を任意に変更可能に構成してもよい。
【００１４】
移動していると判定された前記中継装置に対して移動機への接続を停止する停波部をさらに備えるようにしてもよい。
【００１５】
停波部は、所定の中継装置について移動機への接続の停止を禁止するようにしてもよい。
【００１６】
本発明の他の態様に係る移動判定方法は、移動体と無線接続する中継装置の移動の有無を判定する移動判定方法であって、中継装置が無線接続しているドナーセルと無線接続をすることが可能な隣接セルとを特定する許容セル情報を所定のタイミング毎に取得して蓄積するステップと、異なるタイミングで取得された複数の許容セル情報を互いに比較して前記中継装置の移動の有無を判定するステップと、を有する。
【発明の効果】
【００１７】
本発明によれば、ユーザが勝手に中継装置を移動させても、中継装置の移動の有無を判定することができる移動判定システム及び移動判定方法を提供することができる。
【図面の簡単な説明】
【００１８】
【図１】本実施形態に係る移動判定システム及びこれを適用する無線ネットワークの基本システム図である。
【図２】本実施形態におけるドナーセルと隣接セルの関係の説明図である。
【図３】本実施形態に係る移動判定方法のフローチャートである。
【図４】本実施形態に係る移動判定システムを説明するシーケンス図である。
【図５】本実施形態における隣接セル比較のフローチャートである。
【図６】許容セル情報の比較における時系列イメージの説明図である。
【図７】本実施形態における中継装置の停波指示の説明図である。
【図８】隣接セル比較の具体例を例示する説明図である。
【発明を実施するための形態】
【００１９】
添付図面を参照して、本発明の好適な実施形態について説明する。なお、各図において、同一の符号を付したものは、同一又は同様の構成を有する。
【００２０】
[用語の定義]
本明細書で使用する主要な用語を以下のように定義する。
「移動体」：移動体通信端末であり、ＵＥ（Ｕｓｅｒ  Ｅｑｕｉｐｍｅｎｔ）とも呼ばれる。具体的には、スマートフォンやフィーチャーフォンなどの携帯電話機能を有する装置である。以下の実施形態では「端末装置」と称する。
「中継装置」：スモールセル（Ｓｍａｌｌ  Ｃｅｌｌ）基地局を意味する。ＬＴＥ規格では、ＨｅＮＢ（Ｈｏｍｅ  ｅＮｏｄｅＢ）とも称される。
「セル」：マクロセル基地局（ＭＣＣ：Ｍａｃｒｏ  Ｃｅｌｌ）を意味する。ＬＴＥ規格では、ｅＮＢ（ｅＮｏｄｅＢ）とも称される。特に、中継装置にとって通信路が確立されているセルを「ドナーセル」と称する。また、現時点で中継装置との間で通信路が確立されてはいないが通信可能ではあるセルを「隣接セル」と称する。さらに、ドナーセル及び隣接セルを総称して、通信可能であるという意味で「許容セル」と称する。一つの中継装置についてのある時点の許容セルを全て記録したデータを「許容セル情報」と称する。
【００２１】
〔システムの構成〕
（無線ネットワーク）
まず、図１を参照して、本発明の一実施の形態に係る移動判定システム１００を適用する無線ネットワークについて説明する。図１は、本実施形態に係る移動判定システム及びこれを適用する無線ネットワークの基本システム図である。
【００２２】
図１に示すように、移動体通信システム２００の無線ネットワークとしては、端末装置１０、中継装置２０及びおよびマクロセル基地局３０を備える。
【００２３】
端末装置１０は、ユーザが使用する移動体通信端末である。図１において、端末装置１０はいずれかの中継装置２０の通信可能範囲に在圏しているものとする。
【００２４】
中継装置２０は、マクロセル基地局３０と端末装置１０とを中継するノードであり、通信環境の改善のためにビルなどの屋内に設置される。中継装置２０は、無線ネットワークにおける一つのノードを構成し、マクロセル基地局３０との間でバックホール無線通信を確立するノードである。中継装置２０は無線通信事業者により設置され、中継装置２０の個々の設置位置は無線通信事業者によって登録され管理されている。
【００２５】
中継装置２０は、端末装置１０に対しパケット通信サービス（例えば音声パケット通信サービス、マルチメディアサービス等）を提供する。中継装置２０が形成するセルサイズは、マクロセル基地局３０よりも小規模であり、半径数メートルから数十メートルの通信エリアを構築する。
【００２６】
マクロセル基地局３０は、中継装置２０との間で無線通信を確立する他、端末装置１０との間でも直接アクセス無線通信を確立するように構成されている。マクロセル基地局３０は、半径数百メートルから十数キロメートルの通信エリアを構築する。
【００２７】
図２は、本実施形態におけるドナーセルと隣接セルの関係の説明図である。図２において、破線円は中継装置２０の通信可能エリアＭを示す。この通信可能エリアＭ内に存在するマクロセル基地局３０は、中継装置２０から通信路を確立することが可能である許容セルである。図２における中継装置２０が無線接続しているマクロセル基地局３０がドナーセル３０−１である。また、図２における中継装置２０にとって、通信路を確立はしていないが無線接続をすることが可能なマクロセル基地局３０が、隣接セル３０−２，３０−３，３０−４である。図２においては、４台の許容セルが例示されているが、許容セルの数は中継装置２０の設置環境などによって変動し、許容セルの数は限定されない。なお、以下の説明において、ドナーセルと隣接セルを区別しないで説明する場合は、単に「マクロセル基地局」という。
【００２８】
（移動判定システム）
次に、再び図１を参照して、本実施形態に係る移動判定システム１００について説明する。図１に示すように、本実施形態に係る移動判定システム１００は、端末装置１０と無線接続する中継装置２０の設置位置の移動の有無を判定するシステムであって、取得部４０と判定部５０とを備える。移動判定システム１００は、移動体通信システム２００のコアネットワークに設けられている。
【００２９】
取得部４０は、例えば、Ｗｉｎｄｏｗｓ  ＯＳ上で動作するアプリケーションシステムであって、ＯＳＳ（Ｏｐｅｒａｔｉｏｎ  Ｓｕｐｐｏｒｔ  Ｓｙｓｔｅｍ）等で構築されているが、ＯＳに限定はない。取得部４０は、ドナーセルと隣接セルとを特定する許容セル情報を所定のタイミング毎に取得して蓄積するように構成されている。具体的には、例えば、取得部４０は、１回／１時間のタイミングですべての中継装置２０をスキャンして許容セル情報を取得して蓄積するように設定されているが、取得タイミングは変更可能である。隣接セルとして記録するセルは、所定の基準、例えば、電界強度や電波の品質といった指標に従って選別される。取得部４０は、例えば、周波数帯毎に指標が上位から数えて所定順位までのセルを「隣接セル」として選択し、許容セル情報として記録する。
【００３０】
取得部４０は、スキャンニングにより取得した許容セル情報を所定の形式、例えば、ｃｓｖファイル形式のリスト（Ｓｃａｎ  Ｌｉｓｔ）として記録する。Ｓｃａｎ  Ｌｉｓｔには、各々の中継装置２０に対して通信可能な全ての許容セルの情報が記録される。Ｓｃａｎ  Ｌｉｓｔの詳細は後述する。
【００３１】
判定部５０は、例えば、Ｌｉｎｕｘ（登録商標）ＯＳ上で動作するアプリケーションシステムであって、データベース６０を備える。判定部５０は、取得部４０から許容セル情報を取得し、データベース６０に格納する。データベース６０は、中継装置２０ごとに初回に取得した許容セルを特定するデータ、その後に取得したｎ回分の許容セルを特定するデータ、直近に取得した許容セルを特定するデータを、ドナーセルであるか隣接セルであるかの別とともに、許容セル情報として保持する。また、判定部５０は、データベース６０を参照して、異なるタイミングで取得された複数の許容セル情報を互いに比較して中継装置２０の移動の有無を判定する。判定部５０の判定の詳細については後述する。
【００３２】
取得部４０から判定部５０へのファイル転送には、暗号化や認証手続を利用して安全に遠隔地にデータを転送する技術を利用する。例えば、ＳＳＨ（Ｓｅｃｕｒｅ  Ｓｈｅｌｌ）の仕組みを使用してコンピュータ間でファイルを安全に転送するプロトコルとしてのＳＦＴＰ（ＳＳＨ  Ｆｉｌｅ  Ｔｒａｎｓｆｅｒ  Ｐｒｏｔｏｃｏｌ）を採用する。
【００３３】
判定部５０は、所定の中継装置２０に対応している許容セル情報を任意にリセット可能な機能に構成されている。具体的には、特定の中継装置２０に対応付けられた許容セル情報（ドナーセル／隣接セルを特定するデータ）を消去する機能を有する。データ消去後の次回データ収集時は初回取得扱いとなる。この機能は、オプショナルな構成要素である。
【００３４】
また、判定部５０は、所定の中継装置２０について移動の有無の判定を任意に禁止可能に構成されている。具体的には、判定部５０は、移動判定をさせたくない中継装置を登録する判定スキップリストを予め保持しておく。そして判定部５０は、判定スキップリストに記録されている中継装置２０については移動判定を禁止する。例えば、何らかの特別な事由により、どうしても停波させたくない中継装置２０が存在する場合、判定スキップリストに登録する。この機能は、オプショナルな構成要素である。
【００３５】
さらに、判定部５０は、許容セル情報を任意に変更可能に構成されている。具体的には、許容セル情報として、ドナーセルや隣接セルの登録状況を適宜変更する機能である。具体的には、無線通信事業者は、判定部５０の管理から切り離して、許容セル情報を個別に参照したり変更したりする手動メンテナンスが可能になっている。この機能は、オプショナルな構成要素である。
【００３６】
加えて、判定部５０は、移動していると判定された中継装置２０に対して、端末装置１０への接続を停止する停波部７０をさらに備えていてもよい。停波部７０は、取得部４０へ停波指示のリクエストを送信し、所定の中継装置２０について端末装置１０への接続を禁止する。停波実行制御機能は、基本は「要」（実行可能）に設定されているが、中継装置２０のチェックのみを実施したい場合には「否」（実行不可）に設定することが可能である。この機能は、オプショナルな構成要素である。停波指示の詳細については後述する。
【００３７】
〔システムの動作及び移動判定方法〕
次に、本実施形態に係る移動判定方法について、本実施形態に係る移動判定システム１００の動作とともに説明する。
【００３８】
本実施形態に係る移動判定方法は、端末装置と無線接続する中継装置の設置位置の移動の有無を判定する移動判定方法である。本実施形態に係る移動判定方法は、中継装置が無線接続しているドナーセルと無線接続をすることが可能な隣接セルとを特定する許容セル情報を所定のタイミング毎に取得して蓄積するステップと、異なるタイミングで取得された複数の許容セル情報を互いに比較して中継装置の移動の有無を判定するステップと、を有する。以下、具体的に説明する。
【００３９】
図３及び図４を参照して、本実施形態に係る移動判定方法を説明する。図３は、本実施形態に係る移動判定方法のフローチャートである。図４は、本実施形態に係る移動判定システムを説明するシーケンス図である。
【００４０】
図３及び図４に示すように、取得部４０は、中継装置２０が無線接続しているドナーセル３０−１と無線接続をすることが可能な隣接セル３０−２，３０−３，３０−４とを特定する許容セル情報を所定のタイミング毎に取得して蓄積する（Ｓ２１０）。
【００４１】
取得部４０は、ｃｓｖファイル形式のＳｃａｎ  Ｌｉｓｔで、全ての許容セルの情報をデータ管理する。セルを特定する識別情報としては、例えば、ノード名（Ｎｏｄｅ  Ｎａｍｅ（ＨｅＮＢ））、セルＩＤ（Ｃｅｌｌ  Ｉｎｄｅｎｔｉｔｙ）及びＥＡＲＦＣＮの値が挙げられる。ドナーセルであるか隣接セルであるかの種別は、所定のフラグ、例えば、Ｓｃａｎ  Ｌｉｓｔ  Ｒａｎｋで判断する。隣接セル３０−２，３０−３，３０−４のデータは周波数帯毎に出力される。
【００４２】
判定部５０は、取得部４０から許容セル情報を所定のタイミング毎に取得し、データ管理する（Ｓ２２０）。許容セル情報は、取得部４０から判定部５０へ転送される。判定部５０は、転送された許容セル情報をＳｃａｎ  Ｌｉｓｔとしてデータベース６０に保存する。
【００４３】
判定部５０は、データベース６０から判定対象データを読み込む（Ｓ２３０）。すなわち、Ｓｃａｎ  Ｌｉｓｔに記録されている最初の中継装置２０から順番に、許容セルを参照し、ステップＳ２５０、Ｓ２６０、Ｓ２７０の判定処理をしてから、次の中継装置３０の参照・判定処理を実施するループを繰り返す（Ｓ２９０）。判定スキップリストに含まれる中継装置２０については、ステップＳ２５０、Ｓ２６０、Ｓ２７０の判定処理をせず、次の中継装置２０に移行する。
【００４４】
判定部５０は、検討対象としている中継装置２０について、異なるタイミングで取得された複数の許容セル情報を互いに比較して当該中継装置２０の移動の有無を判定する（Ｓ２５０、Ｓ２６０、Ｓ２７０）。判定部５０の判定は毎時実行する。許容セル情報の比較は、基本的に第１のタイミングで取得した許容セル情報とこの第１のタイミングより遅い第２のタイミングで取得した許容セル情報とを比較する。
【００４５】
図６を参照して、第１のタイミングで取得した許容セル情報と第２のタイミングで取得した許容セル情報との比較について、時系列イメージを用いて説明する。図６は、許容セル情報の比較例を時系列で説明する図である。図６に示すように、中継装置２０が初回起動されると、判定部５０は起動された中継装置２０についての許容セルを特定する許容セル情報を取得しデータベース６０に初回データとして記録する。次に、判定部５０は、所定のタイミングで中継装置２０から２回目の通知を受けると、２回目に検出された中継装置２０についての許容セルを特定する許容セル情報を取得し２回目データとしてデータベース６０に保存する。そして、判定部５０は、データベース６０を参照して、２回目データと初回データを比較する。以降、通常は、前回取得された許容セル情報と今回新たに取得された許容セル情報とを比較することになる。
【００４６】
ただし、中継装置２０との通信に成功しなかった場合、すなわち、疎通不可になると、判定部５０は当該中継装置２０についてデータ取得不可としいうフラグと共にデータベース６０に記録する。中継装置２０が復旧すると、判定部５０は過去に当該中継装置２０についてデータ取得不可として記録されていたかを照合する。データ取得不可として記録されていた場合、判定部５０は、疎通不可となる時点の直前に取得されたデータと今回新たに取得されたデータとを比較する。
【００４７】
再び図３及び図４を参照して、判定部５０は、第１のタイミングで取得した許容セル情報と第２のタイミングで取得した許容セル情報とを比較して、ドナーセル３０−１が許容セル情報に含まれるか否かを判定する（Ｓ２５０）。ドナーセル３０−１が許容セル情報に含まれる場合（Ｓ２５０／ＹＥＳ）は、次の中継装置についての判定に移るべく、Ｓｃａｎ  Ｌｉｓｔの次行の読み出しへと移行する（Ｓ２９０）。
【００４８】
ドナーセル３０−１が許容セル情報に含まれない場合（Ｓ２５０／ＮＯ）、第１タイミングで取得した許容セル情報と第２のタイミングで取得した許容セル情報とのドナーセル同士を比較する（Ｓ２６０）。すなわち、前回のドナーセルと今回のドナーセルとが同じであるか否かを比較する。比較の結果、前回と今回のドナーセルが一致する場合（Ｓ２６０／ＹＥＳ）、この中継装置２０が移動していないと判定し、次の中継装置についての判定に移るべく、Ｓｃａｎ  Ｌｉｓｔの次行の読み出しへと移行する（Ｓ２９０）。
【００４９】
一方、前回のドナーセルと今回のドナーセルとが異なる場合（Ｓ２６０／ＮＯ）は、第１タイミングで取得した許容セル情報と第２のタイミングで取得した許容セル情報との隣接セル同士を比較する（Ｓ２７０）。隣接セル同士を比較するのは、判定部５０の誤検知を抑止するためである。
【００５０】
ドナーセルが異なる場合としては、本実施形態における判定目的である中継装置２０が移動させられたという問題事象の他に、ドナーセルに障害が生じて隣接セルにハンドオーバーされた場合、中継装置２０の近隣に新たなセルが設置されこの新設セルにハンドオーバーされた場合、中継装置２０が自律的に又は強制的に再起動し、再起動時の電波状態によってドナーセルが変更された場合、及び中継装置２０の電源が遮断・投入され、セルのリスキャンが行われてドナーセルが変更された場合が考えられる。
【００５１】
図５は、本実施形態における隣接セル比較のフローチャートである。図５は、図３の全体フローチャートにおける隣接セル比較（Ｓ２７０）における判定の詳細を示している。まず図５に示すように、判定部５０は新ドナーセルが旧隣接セルに含まれているかを判定する（Ｓ２７１）。新ドナーセルが旧隣接セルに含まれている場合とは、第１のタイミングで取得した許容セル情報において隣接セルとして記録されているセルが、第２のタイミングで取得した許容セル情報においてドナーセルとして記録されている場合である。
【００５２】
第１のタイミングの許容セル情報に隣接セルとして記録されているセルが第２のタイミングの許容セル情報にドナーセルとして記録されている場合（Ｓ２７１／ＹＥＳ）、第１のタイミングと第２のタイミングとの間にドナーセルが変更されたものとして、問題なしと判定する。すなわち、このケースは、ドナーセルの障害により、隣接セルへドナーセルが変更されたものであり、新ドナーセルは旧隣接セルに含まれているので、中継装置２０は移動していないと判定できるのである（後述の図７における＃１のケース）。判定部５０が問題なし（移動なし）と判定した場合には、Ｓｃａｎ  Ｌｉｓｔの次行のチェックへと移行する（Ｓ２９０）。
【００５３】
第１のタイミングの許容セル情報に隣接セルとして記録されているセルが第２のタイミングの許容セル情報にドナーセルとして記録されていない場合（Ｓ２７１／ＮＯ）、判定部５０は、旧ドナーセルが新隣接セルに含まれているかを判定する（Ｓ２７２）。旧ドナーセルが新隣接セルに含まれている場合とは、第１のタイミングで取得した許容セル情報においてドナーセルとして記録されているセルが、第２のタイミングで取得した許容セル情報において隣接セルとして記録されている場合である。
【００５４】
第１のタイミングで取得した許容セル情報においてドナーセルとして記録されているセルが第２のタイミングで取得した許容セル情報において隣接セルとして記録されている場合（２７２／ＹＥＳ）、第１のタイミングと第２のタイミングとの間にセルが新設されたものとして、問題なしと判定する。すなわち、このケースは、近隣にマクロセル基地局３０が新設された結果、中継装置２０のリスキャンによりドナーセルが変更されたものである。旧ドナーセルは新隣接セルに含まれていることになるので、中継装置２０が移動していないと判定してよい（後述の図７における＃２のケース）。判定部５０が問題なし（移動なし）と判定した場合には、Ｓｃａｎ  Ｌｉｓｔの次行のチェックへと移行する（Ｓ２９０）。
【００５５】
第１のタイミングで取得した許容セル情報においてドナーセルとして記録されているセルが第２のタイミングで取得した許容セル情報において隣接セルとして記録されていない場合（２７２／ＮＯ）には、新旧の隣接セルの一致率を判定する（Ｓ２７３）。新旧の隣接セルの一致率とは、第１のタイミングで取得した許容セル情報において隣接セルとして記録されているセルと第２のタイミングで取得した許容セル情報において隣接セルとして記録されているセルとがどの程度一致しているのかを示すものである。一致率は、種々の演算方法を適用可能であるが、例えば、[一致しているセル数]／[新旧の隣接セル総数（重複を排除した数）]で算出可能である。
【００５６】
一致率が所定の閾値以上の場合、すなわち、新旧の隣接セルがほぼ変わっていないと考えられる場合（Ｓ２７３／ＹＥＳ）には、問題なしと判定する。すなわち、このケースは、中継装置２０が移動していなければ、前回の隣接セルと今回の隣接セルとはほぼ変わらないはずであると考えられるからである。新旧の隣接セルが異なる場合（Ｓ２７３／ＮＯ）には、中継装置２０が移動している可能性が高いので、必要な措置に移行する。
【００５７】
ここで、一致率の判定を複数段階設定することが考えられる。一致率が１００％（完全一致）ではないがある程度一致している場合（１００％＞一致率＞閾値）、中継装置２０は移動したが移動距離が大きくないようなときと推測できる。例えば、部屋のレイアウト変更のため中継装置２０の設置位置を動かしたような場合である。このような場合は、緊急呼の発呼に問題は生じないと考えられる。よって、このような一致率と判定された場合は、システム上移動の疑いがある点を記録するに留めておいてよい。後日無線通信事業者が当該中継装置の点検に出向き、問題がないか検査すればよい。
【００５８】
一方、一致率が低い場合（閾値≧一致率≧０％）、中継装置２０は意図的に大きく移動させられたと推測できる。例えば、中継装置２０を全く別の場所に運搬して再設置したような場合である。このような場合は、明らかに緊急呼の発呼に問題を生じる。よって、このような一致率と判定された場合は、当該中継装置２０の利用を即時に停止する措置、例えば、図３に示す停波指示に移行する（Ｓ２８０）。停波指示に移行する場合には、停波部７０は取得部４０へ停波を指示する（Ｓ２８０）。
【００５９】
図７を参照して、本実施形態における中継装置の停波指示についてさらに説明する。図７に示すように、判定部５０が中継装置２０の移動を検知した場合、停波部７０は取得部４０へ当該移動したと判定された中継装置２０の停波を指示する。停波指示を受けた取得部４０は、当該移動したと判定した中継装置２０による端末装置１０への接続を禁止する。停波指示の通信方式には、例えば、ＳＯＡＰを採用する。ここで、ＳＯＡＰは、ネットワーク内のＷｅｂサービスの実装において、構造化された情報を交換するための通信プロトコルの仕様である。
【００６０】
次に、図８を参照して、隣接セル比較の具体例をさらに説明する。図８に示すように、新旧の隣接セルの比較は、旧ドナーセル、新ドナーセル、旧隣接セル、新隣接セル、隣接セル個数（新旧トータル）、一致個数、一致率及び閾値の項目について検証する。旧ドナーセルとは、第１のタイミング、すなわち前回取得された許容セル情報（前回許容セル情報）にドナーセルとして記録されていたセルである。新ドナーセルとは、第２のタイミング、すなわち今回新たに取得された許容セル情報（今回許容セル情報）にドナーセルとして記録されているセルである。旧隣接セルとは、前回許容セル情報に隣接セルとして記録されていたセルである。新隣接セルとは、今回許容セル情報に隣接セルとして記録されているセルである。隣接セル個数とは、前回許容セル情報に隣接セルとして記録されていたセルと今回許容セル情報に隣接セルとして記録されていたセルとの総数（重複を排除後）である。一致数は、前回許容セル情報と今回許容セル情報とを比較して一致している隣接セルの個数である。一致率は、所定の計算式、例えば、「一致数」÷「隣接セル個数」で算出される。一致率の閾値は、ここでは停波指示をするための閾値で、例えば、５０％以上と設定する。
【００６１】
図８のケース＃１において、例えば、旧ドナーセルがＡ、新ドナーセルがＢで、隣接セルがＢ及びＣ、新隣接セルがＣである場合、新ドナーセルが旧隣接セルに含まれているパターンである。これは、図５のステップＳ２７１／ＹＥＳで、旧ドナーセルＡに障害が継続している場合であり、ＯＫと判定する。ケース＃２において、旧ドナーセルがＡ、新ドナーセルがＸで、隣接セルがＢ及びＣ、新隣接セルがＡ，Ｂ，及びＣの場合、旧ドナーセルが新隣接セルに含まれているパターンである。これは、図５のステップＳ２７２／ＹＥＳで、近隣にマクロセル基地局が新設された場合であり、ＯＫと判定する。
【００６２】
ケース＃３において、例えば、旧ドナーセルがＸ、新ドナーセルがＹで、隣接セルがＡ，Ｂ，及びＣ、新隣接セルがＡ，Ｂ，及びＣの場合、隣接セル個数が３、一致数が３で、一致率が１００％である。これは図５のステップＳ２７３／ＹＥＳで新旧隣接セルが完全一致する場合であり、ＯＫと判定する。ケース＃４において、例えば、旧ドナーセルがＸ、新ドナーセルがＹで、隣接セルがＡ，Ｂ，及びＣ、新隣接セルがＡ及びＢの場合、隣接セル個数が３、一致数が２であり、一致率は６６％となる。閾値は５０％に設定されているのでＯＫと判定する。但し、一致率が１００％ではないので、後日の確認のためにシステムに記録しておいてもよい。
【００６３】
ケース＃５において、例えば、旧ドナーセルがＸ、新ドナーセルがＹで、隣接セルがＡ，Ｂ，及びＣ、新隣接セルがＣ，Ｄ，及びＥの場合、隣接セル個数が５、一致数が１で、一致率が２０％となる。これは一致率が閾値未満である図５のステップＳ２７３／ＮＯの場合なので、ＮＧと判定する。ケース＃６において、例えば、旧ドナーセルがＸ、新ドナーセルがＹで、隣接セルがＡ，Ｂ，Ｃ，及びＤ、新隣接セルがＣ及びＤの場合、隣接セル個数が４、一致数が２であり、一致率が５０％となる。一致率が閾値以上であるのでＯＫと判定する。
【００６４】
ケース＃７において、例えば、旧ドナーセルがＸ、新ドナーセルがＹで、隣接セルがＡ及びＢ、新隣接セルがＡ，Ｂ，Ｃ，及びＤの場合、隣接セル個数が４、一致数が２で、一致率が５０％となる。一致率が閾値以上であるのでＯＫと判定する。ケース＃８において、例えば、旧ドナーセルがＸ、新ドナーセルがＹで、隣接セルがＡ、新隣接セルがＡ，Ｂ，及びＣの場合、隣接セル個数が３、一致数が１で、一致率が３３％となる。一致率が閾値未満であるのでＮＧと判定する。
【００６５】
ケース＃９〜＃１２においては、全て一致率が閾値である５０％未満となるため、全てＮＧと判定する。
【００６６】
次に、判定結果の出力（図３：Ｓ３００）について説明する。判定結果は、中継装置２０毎に複数項目が記録される。項目としては、例えば、中継装置名（Ｎｏｄｅ  Ｎａｍｅ）、ドナーセル識別情報（最新データ）、ドナーセル識別情報（過去データ）、隣接セル識別情報（最新データ）、隣接セル識別情報（過去データ）、隣接セル一致率（％）、判定結果（ＯＫ、ＮＧ、モニタ期間中フラグ、スキップ設定フラグ）、及び判定日時である。各項目は、中継装置２０単位の判定状況、例えば、問題なし（ドナー一致）あるか、問題なし（隣接比較ＯＫ）であるか、問題ありであるか、モニタ期間対象であるか、又はスキップ対象であるか、に応じて記録されたり記録されなかったりする。ここで、「モニタ期間」とは、例えば、許容セル情報の初回取得時点からある一定の期間（任意で設定可能）のことを意味する。例えば、モニタ期間においては、中継装置２０の移動判定を行わず、マクロセル情報の取得のみを行う。
【００６７】
次に、移動被疑及び停波履歴について説明する。移動被疑とは、図３のようなフローチャートによる判定で特定の中継装置２０について移動の疑いがあると判定された履歴である。停波履歴とは、図３のようなフローチャートによる判定で実際に停波指示が出された履歴である。移動被疑及び停波履歴については、過去ｎ日分を記録する。ｎは可変値とし、調整可能な設計とする。移動被疑及び停波履歴は、例えば、移動被疑とされた中継装置名（Ｎｏｄｅ  Ｎａｍｅ）、停波日時、停波指示結果及び停波指示結果詳細の項目について、備考とともに記録する。
【００６８】
以上説明したように、本実施形態に係る移動判定システム１００は、取得部４０がドナーセル３０−１と隣接セル３０−２，３０−３，３０−４とを特定する許容セル情報を所定のタイミング毎に取得して蓄積する。判定部５０は、異なるタイミングで取得された複数の許容セル情報を互いに比較して中継装置２０の移動の有無を判定する。したがって、本実施形態に係る移動判定システム１００によれば、ユーザが勝手に中継装置を移動させても、逐次中継装置２０の移動の有無を検出できるので、緊急事態に備えることができる。即ち、中継装置２０の移動の有無を把握できるので、端末装置１０から緊急呼があった場合でも、緊急対応車両が緊急呼を発した端末装置１０の場所にたどり着けないという事態を防止することができる。
【００６９】
判定部５０は、所定の中継装置２０に対応している許容セル情報を任意にリセット可能な機能に構成されているので、記録されている許容セル情報をリセットして、リセット後の許容セル情報の取得を初回取得扱いとすることができる。
【００７０】
また、判定部５０は、所定の中継装置２０について移動の有無の判定を任意に禁止可能に構成されているので、どうしても停波させたくない中継装置２０が存在する場合等に、中継装置２０の移動判定をスキップすることができる。
【００７１】
さらに、判定部５０は、許容セル情報を任意に変更可能に構成されているので、適宜、許容セル情報の設定を適宜調整して、メンテナンス性及び汎用性を向上させることができる。
【００７２】
加えて、判定部５０は、移動していると判定された中継装置２０に対して、端末装置１０への接続を停止する停波部７０を備えるので、移動が疑われる中継装置２０の継続使用を禁止することが可能である。
【００７３】
以上説明した実施形態は、本発明の理解を容易にするためのものであり、本発明を限定して解釈するためのものではない。実施形態が備える各要素並びにその配置、条件等は、例示したものに限定されるわけではなく適宜変更することができる。
【符号の説明】
【００７４】
１０…端末装置、２０…中継装置、３０…マクロセル基地局、３０−１…ドナーセル、３０−２，３０−３，３０−４…隣接セル、４０…取得部、５０…判定部、７０…停波部、１００…移動判定システム、２００…移動体通信システム。
【図１】
2019125992.tif 000003
【図２】
2019125992.tif 000004
【図３】
2019125992.tif 000005
【図４】
2019125992.tif 000006
【図５】
2019125992.tif 000007
【図６】
2019125992.tif 000008
【図７】
2019125992.tif 000009
【図８】
2019125992.tif 000010
【手続補正書】
【提出日】平成31年2月1日(2019.2.1)
【手続補正１】
【補正対象書類名】特許請求の範囲
【補正対象項目名】全文
【補正方法】変更
【補正の内容】
【特許請求の範囲】
【請求項１】
移動体と無線接続する中継装置の移動の有無を判定する移動判定システムであって、
中継装置が無線接続しているドナーセルと無線接続をすることが可能な隣接セルとを特定する許容セル情報を所定のタイミング毎に取得して蓄積する取得部と、
異なるタイミングで取得された複数の前記許容セル情報を互いに比較して前記中継装置の移動の有無を判定する判定部と、
を備え、
前記判定部は、第１のタイミングで取得した前記許容セル情報において隣接セルとして記録されているセルが前記第１のタイミングより遅い第２のタイミングで取得した前記許容セル情報においてドナーセルとして記録されていた場合には前記第１のタイミングと前記第２のタイミングとの間にドナーセルが変更されたものとして、前記中継装置が移動していないと判定する、移動判定システム。
【請求項２】
前記判定部は、第１のタイミングで取得した前記許容セル情報において隣接セルとして記録されているセルが前記第１のタイミングより遅い第２のタイミングで取得した前記許容セル情報においてドナーセルとして記録されていた場合には前記第１のタイミングと前記第２のタイミングとの間にドナーセルが近隣セルに変更されたものとして、前記中継装置が移動していないと判定する、請求項１に記載の移動判定システム。
【請求項３】
前記判定部は、第１のタイミングで取得した前記許容セル情報において隣接セルとして記録されているセルが前記第１のタイミングより遅い第２のタイミングで取得した前記許容セル情報においてドナーセルとして記録されていない場合、かつ、前記第１のタイミングで取得した前記許容セル情報においてドナーセルとして記録されているセルが前記第２のタイミングで取得した前記許容セル情報において隣接セルとして記録されていた場合には前記第１のタイミングと前記第２のタイミングとの間にセルが新設されたものとして、前記中継装置が移動していないと判定する、請求項１または２に記載の移動判定システム。
【請求項４】
前記判定部は、第１のタイミングで取得した前記許容セル情報において隣接セルとして記録されているセルが前記第１のタイミングより遅い第２のタイミングで取得した前記許容セル情報においてドナーセルとして記録されていない場合、かつ、前記第１のタイミングで取得した前記許容セル情報においてドナーセルとして記録されているセルが前記第２のタイミングで取得した前記許容セル情報において隣接セルとして記録されていない場合、前記第１のタイミングで取得した前記許容セル情報において隣接セルとして記録されているセルと前記第２のタイミングで取得した前記許容セル情報において隣接セルとして記録されているセルとの一致率に基づいて、前記中継装置の移動の有無を判定する、請求項１乃至３のいずれか一項に記載の移動判定システム。
【請求項５】
所定の中継装置に対応している前記許容セル情報を任意にリセット可能に構成されている、
請求項１乃至４のいずれか一項に記載の移動判定システム。
【請求項６】
所定の中継装置について移動の有無の判定を任意に禁止可能に構成されている、
請求項１乃至５のいずれか一項に記載の移動判定システム。
【請求項７】
前記許容セル情報を任意に変更可能に構成されている、
請求項１乃至６のいずれか一項に記載の移動判定システム。
【請求項８】
移動していると判定された前記中継装置に対して移動機への接続を停止する停波部をさらに備える、請求項１乃至７のいずれか一項に記載の移動判定システム。
【請求項９】
前記停波部は、所定の中継装置について前記移動機への接続の禁止する、
請求項８に記載の移動判定システム。
【請求項１０】
移動体と無線接続する中継装置の移動の有無を判定する移動判定方法であって、
中継装置が無線接続しているドナーセルと無線接続をすることが可能な隣接セルとを特定する許容セル情報を所定のタイミング毎に取得して蓄積するステップと、
異なるタイミングで取得された複数の前記許容セル情報を互いに比較して前記中継装置の移動の有無を判定するステップと、
を有し、
前記判定するステップでは、第１のタイミングで取得した前記許容セル情報において隣接セルとして記録されているセルが前記第１のタイミングより遅い第２のタイミングで取得した前記許容セル情報においてドナーセルとして記録されていた場合には前記第１のタイミングと前記第２のタイミングとの間にドナーセルが変更されたものとして、前記中継装置が移動していないと判定される、移動判定方法。
【請求項１１】
移動体と無線接続する中継装置の移動の有無を判定する移動判定システムであって、
中継装置が無線接続しているドナーセルと無線接続をすることが可能な隣接セルとを特定する許容セル情報を所定のタイミング毎に取得して蓄積する取得部と、
異なるタイミングで取得された複数の前記許容セル情報を互いに比較して前記中継装置の移動の有無を判定する判定部と、
を備え、
前記判定部は、第１のタイミングで取得した前記許容セル情報において隣接セルとして記録されているセルが前記第１のタイミングより遅い第２のタイミングで取得した前記許容セル情報においてドナーセルとして記録されていた場合には前記第１のタイミングと前記第２のタイミングとの間にドナーセルが近隣セルに変更されたものとして、前記中継装置が移動していないと判定する、移動判定システム。
【請求項１２】
移動体と無線接続する中継装置の移動の有無を判定する移動判定システムであって、
中継装置が無線接続しているドナーセルと無線接続をすることが可能な隣接セルとを特定する許容セル情報を所定のタイミング毎に取得して蓄積する取得部と、
異なるタイミングで取得された複数の前記許容セル情報を互いに比較して前記中継装置の移動の有無を判定する判定部と、
を備え、
前記判定部は、第１のタイミングで取得した前記許容セル情報において隣接セルとして記録されているセルが前記第１のタイミングより遅い第２のタイミングで取得した前記許容セル情報においてドナーセルとして記録されていない場合、かつ、前記第１のタイミングで取得した前記許容セル情報においてドナーセルとして記録されているセルが前記第２のタイミングで取得した前記許容セル情報において隣接セルとして記録されていた場合には前記第１のタイミングと前記第２のタイミングとの間にセルが新設されたものとして、前記中継装置が移動していないと判定する、移動判定システム。
【請求項１３】
移動体と無線接続する中継装置の移動の有無を判定する移動判定システムであって、
中継装置が無線接続しているドナーセルと無線接続をすることが可能な隣接セルとを特定する許容セル情報を所定のタイミング毎に取得して蓄積する取得部と、
異なるタイミングで取得された複数の前記許容セル情報を互いに比較して前記中継装置の移動の有無を判定する判定部と、
を備え、
前記判定部は、第１のタイミングで取得した前記許容セル情報において隣接セルとして記録されているセルが前記第１のタイミングより遅い第２のタイミングで取得した前記許容セル情報においてドナーセルとして記録されていない場合、かつ、前記第１のタイミングで取得した前記許容セル情報においてドナーセルとして記録されているセルが前記第２のタイミングで取得した前記許容セル情報において隣接セルとして記録されていない場合、前記第１のタイミングで取得した前記許容セル情報において隣接セルとして記録されているセルと前記第２のタイミングで取得した前記許容セル情報において隣接セルとして記録されているセルとの一致率に基づいて、前記中継装置の移動の有無を判定する、移動判定システム。
【請求項１４】
移動体と無線接続する中継装置の移動の有無を判定する移動判定システムであって、
中継装置が無線接続しているドナーセルと無線接続をすることが可能な隣接セルとを特定する許容セル情報を所定のタイミング毎に取得して蓄積する取得部と、
異なるタイミングで取得された複数の前記許容セル情報を互いに比較して前記中継装置の移動の有無を判定する判定部と、
を備え、
所定の中継装置について移動の有無の判定を任意に禁止可能に構成されている、
移動判定システム。
【手続補正２】
【補正対象書類名】明細書
【補正対象項目名】０００６
【補正方法】変更
【補正の内容】
【０００６】
本発明の一態様に係る移動判定システムは、移動体と無線接続する中継装置の移動の有無を判定する移動判定システムであって、中継装置が無線接続しているドナーセルと無線接続をすることが可能な隣接セルとを特定する許容セル情報を所定のタイミング毎に取得して蓄積する取得部と、異なるタイミングで取得された複数の許容セル情報を互いに比較して中継装置の移動の有無を判定する判定部と、を備え、判定部は、第１のタイミングで取得した許容セル情報において隣接セルとして記録されているセルが第１のタイミングより遅い第２のタイミングで取得した許容セル情報においてドナーセルとして記録されていた場合には第１のタイミングと第２のタイミングとの間にドナーセルが変更されたものとして、中継装置が移動していないと判定する。
【手続補正３】
【補正対象書類名】明細書
【補正対象項目名】０００８
【補正方法】変更
【補正の内容】
【０００８】
判定部は、第１のタイミングで取得した前記許容セル情報において隣接セルとして記録されているセルが第１のタイミングより遅い第２のタイミングで取得した許容セル情報においてドナーセルとして記録されていた場合には第１のタイミングと第２のタイミングとの間にドナーセルが隣接セルに変更されたものとして、中継装置が移動していないと判定するようにしてもよい。
【手続補正４】
【補正対象書類名】明細書
【補正対象項目名】０００９
【補正方法】変更
【補正の内容】
【０００９】
判定部は、第１のタイミングで取得した許容セル情報において隣接セルとして記録されているセルが第１のタイミングより遅い第２のタイミングで取得した許容セル情報においてドナーセルとして記録されていない場合、かつ、第１のタイミングで取得した許容セル情報においてドナーセルとして記録されているセルが第２のタイミングで取得した許容セル情報において隣接セルとして記録されていた場合には第１のタイミングと第２のタイミングとの間にセルが新設されたものとして、中継装置が移動していないと判定するようにしてもよい。
【手続補正５】
【補正対象書類名】明細書
【補正対象項目名】００１０
【補正方法】変更
【補正の内容】
【００１０】
判定部は、第１のタイミングで取得した許容セル情報において隣接セルとして記録されているセルが第１のタイミングより遅い第２のタイミングで取得した許容セル情報においてドナーセルとして記録されていない場合、かつ、第１のタイミングで取得した許容セル情報においてドナーセルとして記録されているセルが第２のタイミングで取得した許容セル情報において隣接セルとして記録されていない場合、第１のタイミングで取得した許容セル情報において隣接セルとして記録されているセルと第２のタイミングで取得した許容セル情報において隣接セルとして記録されているセルとの一致率に基づいて、中継装置の移動の有無を判定するようにしてもよい。
【手続補正６】
【補正対象書類名】明細書
【補正対象項目名】００１６
【補正方法】変更
【補正の内容】
【００１６】
本発明の他の態様に係る移動判定方法は、移動体と無線接続する中継装置の移動の有無を判定する移動判定方法であって、中継装置が無線接続しているドナーセルと無線接続をすることが可能な隣接セルとを特定する許容セル情報を所定のタイミング毎に取得して蓄積するステップと、異なるタイミングで取得された複数の許容セル情報を互いに比較して前記中継装置の移動の有無を判定するステップと、を有し、判定するステップでは、第１のタイミングで取得した許容セル情報において隣接セルとして記録されているセルが第１のタイミングより遅い第２のタイミングで取得した許容セル情報においてドナーセルとして記録されていた場合には第１のタイミングと第２のタイミングとの間にドナーセルが変更されたものとして、中継装置が移動していないと判定される。
本発明の他の態様に係る移動判定システムは、移動体と無線接続する中継装置の移動の有無を判定する移動判定システムであって、中継装置が無線接続しているドナーセルと無線接続をすることが可能な隣接セルとを特定する許容セル情報を所定のタイミング毎に取得して蓄積する取得部と、異なるタイミングで取得された複数の許容セル情報を互いに比較して中継装置の移動の有無を判定する判定部と、を備え、判定部は、第１のタイミングで取得した許容セル情報において隣接セルとして記録されているセルが第１のタイミングより遅い第２のタイミングで取得した許容セル情報においてドナーセルとして記録されていた場合には第１のタイミングと第２のタイミングとの間にドナーセルが近隣セルに変更されたものとして、中継装置が移動していないと判定する。
本発明の他の態様に係る移動判定システムは、移動体と無線接続する中継装置の移動の有無を判定する移動判定システムであって、中継装置が無線接続しているドナーセルと無線接続をすることが可能な隣接セルとを特定する許容セル情報を所定のタイミング毎に取得して蓄積する取得部と、異なるタイミングで取得された複数の許容セル情報を互いに比較して中継装置の移動の有無を判定する判定部と、を備え、判定部は、第１のタイミングで取得した許容セル情報において隣接セルとして記録されているセルが第１のタイミングより遅い第２のタイミングで取得した許容セル情報においてドナーセルとして記録されていない場合、かつ、第１のタイミングで取得した許容セル情報においてドナーセルとして記録されているセルが第２のタイミングで取得した許容セル情報において隣接セルとして記録されていた場合には第１のタイミングと第２のタイミングとの間にセルが新設されたものとして、中継装置が移動していないと判定する。
本発明の他の態様に係る移動判定システムは、移動体と無線接続する中継装置の移動の有無を判定する移動判定システムであって、中継装置が無線接続しているドナーセルと無線接続をすることが可能な隣接セルとを特定する許容セル情報を所定のタイミング毎に取得して蓄積する取得部と、異なるタイミングで取得された複数の許容セル情報を互いに比較して中継装置の移動の有無を判定する判定部と、を備え、判定部は、第１のタイミングで取得した許容セル情報において隣接セルとして記録されているセルが第１のタイミングより遅い第２のタイミングで取得した許容セル情報においてドナーセルとして記録されていない場合、かつ、第１のタイミングで取得した許容セル情報においてドナーセルとして記録されているセルが第２のタイミングで取得した許容セル情報において隣接セルとして記録されていない場合、第１のタイミングで取得した許容セル情報において隣接セルとして記録されているセルと第２のタイミングで取得した許容セル情報において隣接セルとして記録されているセルとの一致率に基づいて、中継装置の移動の有無を判定する。
本発明の他の態様に係る移動判定システムは、移動体と無線接続する中継装置の移動の有無を判定する移動判定システムであって、中継装置が無線接続しているドナーセルと無線接続をすることが可能な隣接セルとを特定する許容セル情報を所定のタイミング毎に取得して蓄積する取得部と、異なるタイミングで取得された複数の許容セル情報を互いに比較して中継装置の移動の有無を判定する判定部と、を備え、所定の中継装置について移動の有無の判定を任意に禁止可能に構成されている。